(57)【要約】【課題】  電子的にデータを授受するシステムを利用した修正作業を支援できるドキュメント処理システムを提供する。【解決手段】  修正依頼側の制御部１１が、原稿データと、当該原稿データを修正して生成した修正データとの差分部分の情報を生成し、生成した差分部分の情報を、修正作業者側に送信する。修正作業側の制御部１１では、当該差分部分の情報を受信し、受信した差分部分の情報に基づいて原稿データを修正し、修正した原稿データを生成する。【選択図】        図１
2006004371.tif 000002
【特許請求の範囲】
【請求項１】
原稿データと、当該原稿データを修正して生成した修正データとの差分部分の情報を生成する手段と、
前記生成した差分部分の情報を、修正作業者側に送信するとともに、自己宛にも送信する手段と、
前記自己宛に送信した差分部分の情報を受信して、当該差分部分の情報に基づいて前記原稿データを修正する手段と、
を含む修正依頼支援装置。
【請求項２】
修正依頼側装置と、修正作業側装置とを含むドキュメント処理システムであって、
前記修正依頼側装置が、ドキュメントの原稿データと、当該原稿データを修正して生成した修正データとの差分部分の情報を生成して、前記生成した差分部分の情報を、修正作業側装置に送信し、
前記修正作業側装置が、ドキュメントの原稿データと、前記送信された差分部分の情報とに基づいて修正後の原稿データを生成し、前記原稿データと、前記修正後の原稿データとの差分部分の情報を生成して第２の差分部分の情報を生成し、当該第２の差分部分の情報を修正依頼側装置に送信し、
前記修正依頼側装置が、当該第２の差分部分の情報を受信して、ドキュメントの原稿データと、前記送信された第２の差分部分の情報とに基づいて修正後の原稿データを生成する
ことを特徴とするドキュメント処理システム。
【請求項３】
ドキュメントの原稿データと、当該原稿データを修正して生成した修正データとの差分部分の情報を生成する手段と、
前記生成した差分部分の情報を、修正作業側装置に送信する手段と、
前記修正作業側装置において、ドキュメントの原稿データと前記送信した差分部分の情報とに基づいて生成した修正後の原稿データと、前記原稿データとの差分部分の情報として生成した第２の差分部分の情報を受信する手段と、
当該受信した第２の差分部分の情報と、ドキュメントの原稿データとに基づいて修正後の原稿データを生成する手段と、
を含むことを特徴とする修正依頼支援装置。
【請求項４】
修正後の原稿データと修正前の原稿データとの差分部分の情報を受信する手段と、
原稿データと前記受信した差分部分の情報とに基づいて修正後の原稿データを生成する手段と、
前記原稿データと前記生成した修正後の原稿データとの差分部分の情報として第２の差分部分の情報を生成する手段と、
前記第２の差分部分の情報を前記差分部分の情報の送信元に返信する手段と、
を含むことを特徴とする修正作業支援装置。
【請求項５】
修正依頼側装置と、修正作業側装置とを用い、
前記修正依頼側装置に、ドキュメントの原稿データと、当該原稿データを修正して生成した修正データとの差分部分の情報を生成して、前記生成した差分部分の情報を、修正作業側装置に送信させる工程と、
前記修正作業側装置に、ドキュメントの原稿データと、前記送信された差分部分の情報とに基づいて修正後の原稿データを生成し、前記原稿データと、前記修正後の原稿データとの差分部分の情報を生成して第２の差分部分の情報を生成し、当該第２の差分部分の情報を修正依頼側装置に送信させる工程と、
前記修正依頼側装置に、当該第２の差分部分の情報を受信して、ドキュメントの原稿データと、前記送信された第２の差分部分の情報とに基づいて修正後の原稿データを生成させる工程と、
を含むことを特徴とするドキュメント処理方法。
【請求項６】
コンピュータに、
原稿データと、当該原稿データを修正して生成した修正データとの差分部分の情報を生成する手順と、
前記生成した差分部分の情報を、修正作業者側に送信するとともに、自己宛にも送信する手順と、
前記自己宛に送信した差分部分の情報を受信して、当該差分部分の情報に基づいて前記原稿データを修正する手順と、
を実行させることを特徴とするプログラム。
【請求項７】
コンピュータに、
ドキュメントの原稿データと、当該原稿データを修正して生成した修正データとの差分部分の情報を生成する手順と、
前記生成した差分部分の情報を、修正作業側装置に送信する手順と、
前記修正作業側装置において、ドキュメントの原稿データと前記送信した差分部分の情報とに基づいて生成した修正後の原稿データと、前記原稿データとの差分部分の情報として生成した第２の差分部分の情報を受信する手順と、
当該受信した第２の差分部分の情報と、ドキュメントの原稿データとに基づいて修正後の原稿データを生成する手順と、
を実行させることを特徴とするプログラム。
【請求項８】
コンピュータに、
修正後の原稿データと修正前の原稿データとの差分部分の情報を受信する手順と、
原稿データと前記受信した差分部分の情報とに基づいて修正後の原稿データを生成する手順と、
前記原稿データと前記生成した修正後の原稿データとの差分部分の情報として第２の差分部分の情報を生成する手順と、
前記第２の差分部分の情報を前記差分部分の情報の送信元に返信する手順と、
を実行させることを特徴とするプログラム。
【発明の詳細な説明】
【技術分野】
【０００１】
本発明は、原稿データの修正作業を支援するドキュメント処理システムに関する。
【背景技術】
【０００２】
近年のレイアウトソフトウエア（例えば米国アドビ社の「InDesign（登録商標）」など）においては、テキストを配列する予定の領域を予め紙面に割り付けておき、各領域に「見出し」「本文」「脚注」などといった属性情報を関連づけておくことができる。
【０００３】
これにより、属性情報を所定のデリミタで囲んだ「タグ情報」として含む、通常のテキストデータを用いて、紙面上に割り付けられた各領域へのテキストの流し込み処理が容易になるようになっている（例えば非特許文献１を参照）。
【非特許文献１】株式会社イーストウエストコーポレーション、“図解ＤＴＰ用語辞典”、[online]、[平成16年4月23日検索]、インターネット<URL:http://www.japanlink.co.jp/dtpjiten/huroku.html>
【発明の開示】
【発明が解決しようとする課題】
【０００４】
しかしながら、上記従来のレイアウトソフトウエアを用いた原稿データの修正作業では、テキストの誤字・脱字や変更追加などの指示は、校正刷りに対して手書きしたものをＦＡＸで送信したり、郵送したりすることになっていた。そしてこの修正の指示を受け取った修正担当者が手作業でタグ情報つきのテキストデータを修正して流し込み操作を行っていた。
【０００５】
また、電子メールを用いて修正したテキストの内容を授受することもあったが、この場合も修正担当者が電子メールから必要な部分を複写して用いていた。
【０００６】
ここで、当該電子メールから必要な部分を検出してタグ情報つきのテキストに単純に複写すればよいとも考えられる。しかしながら、電子メールでのデータの送受信においては、電子メールの送受信に利用するメールソフトウエアの種類や設定によって余分な改行や文字化けなどが生じ得る。しかも受領した側では、当該改行が修正指示者の意図通りのものであるのか、メールソフトウエアの都合によるものかを必ずしも判別できない場合もある。
【０００７】
本発明は上記実情に鑑みて為されたもので、修正指示を行う側と、修正指示を受けて修正の作業を行う側とで原稿データの修正結果を共通にでき、電子メールシステム等、電子的にデータを授受するシステムを利用した修正作業を支援できるドキュメント処理システムを提供することをその目的の一つとする。
【課題を解決するための手段】
【０００８】
上記従来例の問題点を解決するための本発明は、修正依頼支援装置であって、原稿データと、当該原稿データを修正して生成した修正データとの差分部分の情報を生成する手段と  前記生成した差分部分の情報を、修正作業者側に送信するとともに、自己宛にも送信する手段と、前記自己宛に送信した差分部分の情報を受信して、当該差分部分の情報に基づいて前記原稿データを修正する手段と、を含むことを特徴としている。
【０００９】
また、上記従来例の問題点を解決するための本発明は、修正依頼側装置と、修正作業側装置とを含むドキュメント処理システムであって、前記修正依頼側装置が、ドキュメントの原稿データと、当該原稿データを修正して生成した修正データとの差分部分の情報を生成して、前記生成した差分部分の情報を、修正作業側装置に送信し、前記修正作業側装置が、ドキュメントの原稿データと、前記送信された差分部分の情報とに基づいて修正後の原稿データを生成し、前記原稿データと、前記修正後の原稿データとの差分部分の情報を生成して第２の差分部分の情報を生成し、当該第２の差分部分の情報を修正依頼側装置に送信し、前記修正依頼側装置が、当該第２の差分部分の情報を受信して、ドキュメントの原稿データと、前記送信された第２の差分部分の情報とに基づいて修正後の原稿データを生成することを特徴としている。
【００１０】
さらに本発明の一態様に係る修正依頼支援装置は、ドキュメントの原稿データと、当該原稿データを修正して生成した修正データとの差分部分の情報を生成する手段と、前記生成した差分部分の情報を、修正作業側装置に送信する手段と、前記修正作業側装置において、ドキュメントの原稿データと前記送信した差分部分の情報とに基づいて生成した修正後の原稿データと、前記原稿データとの差分部分の情報として生成した第２の差分部分の情報を受信する手段と、当該受信した第２の差分部分の情報と、ドキュメントの原稿データとに基づいて修正後の原稿データを生成する手段と、を含むことを特徴とする。
【００１１】
さらに、本発明の別の態様に係る修正作業支援装置は、修正後の原稿データと修正前の原稿データとの差分部分の情報を受信する手段と、原稿データと前記受信した差分部分の情報とに基づいて修正後の原稿データを生成する手段と、前記原稿データと前記生成した修正後の原稿データとの差分部分の情報として第２の差分部分の情報を生成する手段と、前記第２の差分部分の情報を前記差分部分の情報の送信元に返信する手段と、を含むことを特徴とする。
【００１２】
さらに本発明の別の態様に係るドキュメント処理方法は、修正依頼側装置と、修正作業側装置とを用い、前記修正依頼側装置に、ドキュメントの原稿データと、当該原稿データを修正して生成した修正データとの差分部分の情報を生成して、前記生成した差分部分の情報を、修正作業側装置に送信させる工程と、前記修正作業側装置に、ドキュメントの原稿データと、前記送信された差分部分の情報とに基づいて修正後の原稿データを生成し、前記原稿データと、前記修正後の原稿データとの差分部分の情報を生成して第２の差分部分の情報を生成し、当該第２の差分部分の情報を修正依頼側装置に送信させる工程と、前記修正依頼側装置に、当該第２の差分部分の情報を受信して、ドキュメントの原稿データと、前記送信された第２の差分部分の情報とに基づいて修正後の原稿データを生成させる工程と、を含むことを特徴としている。
【００１３】
さらに、本発明の別の態様に係るプログラムは、コンピュータに、原稿データと、当該原稿データを修正して生成した修正データとの差分部分の情報を生成する手順と、前記生成した差分部分の情報を、修正作業者側に送信するとともに、自己宛にも送信する手順と、前記自己宛に送信した差分部分の情報を受信して、当該差分部分の情報に基づいて前記原稿データを修正する手順と、を実行させることを特徴としている。
【００１４】
また、本発明のさらに別の態様に係るプログラムは、コンピュータに、ドキュメントの原稿データと、当該原稿データを修正して生成した修正データとの差分部分の情報を生成する手順と、前記生成した差分部分の情報を、修正作業側装置に送信する手順と、前記修正作業側装置において、ドキュメントの原稿データと前記送信した差分部分の情報とに基づいて生成した修正後の原稿データと、前記原稿データとの差分部分の情報として生成した第２の差分部分の情報を受信する手順と、当該受信した第２の差分部分の情報と、ドキュメントの原稿データとに基づいて修正後の原稿データを生成する手順と、を実行させることを特徴としている。
【００１５】
さらに、本発明の別の態様に係るプログラムは、コンピュータに、修正後の原稿データと修正前の原稿データとの差分部分の情報を受信する手順と、原稿データと前記受信した差分部分の情報とに基づいて修正後の原稿データを生成する手順と、前記原稿データと前記生成した修正後の原稿データとの差分部分の情報として第２の差分部分の情報を生成する手順と、前記第２の差分部分の情報を前記差分部分の情報の送信元に返信する手順と、を実行させることを特徴としている。
【発明を実施するための最良の形態】
【００１６】
本発明の第１の実施の形態について図面を参照しながら説明する。本実施の形態に係るドキュメント処理システムは、図１に示すように、複数の端末１を含んで構成されている。これらの端末１は互いにネットワークを介して通信可能に接続されている。
【００１７】
これら端末１は、いずれも、図１に示したように、制御部１１と、記憶部１２と、操作部１３と、表示部１４と、通信部１５とを含んで構成されている。また、これらの端末１の少なくとも一つは、校正の結果に応じて原稿データの修正依頼を送信する修正依頼側に配置され、また、別の端末１の少なくとも一つは、修正依頼を受信して現実に原稿データを修正する修正作業者側に配置される。以下、区別を要する場合には、修正依頼側の端末１を修正依頼側装置（修正作業支援装置）と呼び、修正作業者側の端末１を修正作業側装置と呼ぶこととする。
【００１８】
制御部１１は、ＣＰＵ（Central Processing Unit）などを用いて実現でき、記憶部１２に格納されているプログラムに従って種々の処理を行う。本実施の形態においては、この制御部１１は、修正依頼側装置にあっては、原稿データと当該原稿データを修正して生成した修正データとの差分部分の情報を生成し、この生成した差分部分の情報を、修正作業側装置に送信するとともに、自己宛にも送信し、この自己宛に送信した差分部分の情報を受信して、当該差分部分の情報に基づいて原稿データを修正する処理を行っている。これらの各処理の内容については後に詳しく述べる。
【００１９】
記憶部１２は、制御部１１によって実行されるプログラムを格納したコンピュータ可読な記憶媒体を含む。この記憶部１２は、例えばＲＡＭ（Random Access Memory）やＲＯＭ（Read Only Memory）といったメモリ素子のほか、ハードディスク等のディスク装置を含んで構成される。なお、この記憶部１２は、制御部１１の処理における各種データを格納するワークメモリとしても動作する。
【００２０】
操作部１３は、マウスやキーボード等であり、利用者の指示操作を受けて、当該指示操作の内容を制御部１１に出力する。表示部１４は、ディスプレイ装置等であり、制御部１１から入力される指示に従って、種々のデータを表示する。通信部１５は、ネットワークに接続されており、制御部１１から入力される指示に従って、データ（原稿データや修正の差分のデータなど）を指定された宛先に送信する。また、この通信部１５は、他の端末１や、自分自身から送信されたデータを受信して、制御部１１に出力する。なお、自身から送信したデータを受信する処理は、いわゆるローカルループバックを利用してもよいし、制御部１１の電子メールの送信処理において、自己宛と認識して記憶部１２に格納するようにしてもよい。
【００２１】
ここで、制御部１１による処理の具体的内容について説明する。なお、制御部１１の処理の内容は、修正依頼側装置におけるものと、修正作業側装置におけるものとで異なるので、以下、それぞれに分けて説明する。
【００２２】
まず、修正依頼側装置の制御部１１について説明する。この制御部１１は、原稿データの作成者側から原稿データが受信されると、これを記憶部１２に格納する。この原稿データは、いわゆるタグ情報付きのテキストである。具体的にタグ情報としては、フォントの指定（<cFont:xxxxx Mincho>などのタグ情報）や、文字の揃え方、ルビ、ドロップキャップ等を指定するテキストがある。
【００２３】
利用者が、この原稿データを修正する指示を入力すると、制御部１１は、利用者に原稿データを提示する。具体的には、テキストエディタを用いて原稿データを提示し、修正を受け入れることとしてもよい。利用者は、テキストエディタ等を用いてこのタグ情報付きのテキストを修正し、それが終了すると、修正後のタグ情報付きテキスト（修正後の原稿データ）を記憶部１２に格納する。
【００２４】
制御部１１は、修正前の原稿データと、修正後の原稿データとの間で差分部分の情報を生成する。具体的には、修正前の原稿データであるタグ情報付きテキストと、修正後の原稿データであるタグ情報付きテキストとを対象としてＵＮＩＸ（登録商標）におけるdiffコマンドと同様の処理により差分情報（いわゆるdiffファイル）を生成する。
【００２５】
またこの制御部１１は、生成した差分情報を修正作業側装置へ送信するとともに、自己宛にも当該生成した差分情報を送信する。差分情報は、電子メールに含めて送信することができる。制御部１１は、自己宛に送信した差分情報を受信して、当該差分情報を修正前の原稿データに適用する。つまり、ＵＮＩＸ（登録商標）におけるpatchコマンドと同様の処理によって、diffファイルを原稿データに対して適用して原稿データに修正を行う。
【００２６】
そして修正依頼側装置の制御部１１は、差分情報を原稿データに適用して得られた修正後の原稿データを表示部１４に表示して、利用者に提示する。また制御部１１は、この差分情報を原稿データに適用して得られた修正後の原稿データをレイアウトソフトウエアに読み込ませて、レイアウト後の原稿を表示部１４に表示してもよい。
【００２７】
一方、修正作業側装置では、記憶部１２に原稿データ（修正依頼側装置における修正前原稿データと同じもの）を格納している。制御部１１は修正依頼側装置から差分情報としてのdiffファイルを受信して、ＵＮＩＸ（登録商標）におけるpatchコマンドと同様の処理によって、受信したdiffファイルを、記憶部１２に格納されている原稿データに対して適用して原稿データに修正を行う。そして制御部１１は、差分情報を原稿データに適用して得られた修正後の原稿データを表示部１４に表示して、利用者に提示する。また制御部１１は、この差分情報を原稿データに適用して得られた修正後の原稿データをレイアウトソフトウエアに読み込ませて、レイアウト後の原稿を表示部１４に表示してもよい。
【００２８】
本実施の形態によると、修正差分を表す差分情報を抽出して、修正作業側装置に送信するとともに、自己宛にも送信を行う。そして当該自己宛に送信した差分情報を利用して原稿データを修正する。このようにすることで、電子メールの送信に利用するメールソフトウエアの種類や設定によって生じた余分な改行や文字化けなどの状況を、修正依頼側、つまり送信側において確認でき、修正指示を行う側と、修正指示を受けて修正の作業を行う側とで原稿データの修正結果を共通にして、電子メールシステム等、電子的にデータを授受するシステムを利用した修正作業を支援できる。
【００２９】
また、自己宛に送信する代りに、修正作業側装置から返信させる方法もある。以下、かかる方法を採用した本発明の第２の実施の形態に係るドキュメント処理システムについて説明する。本実施の形態に係るシステムは、図１に示した第１の実施の形態に係るものと同様の構成を有するものであるが、端末１の制御部１１における処理の内容が異なっている。そこで以下では、制御部１１における処理の内容について説明する。なお、本実施の形態においても、修正依頼側装置と修正作業側装置とにおいて、制御部１１の処理の内容が異なるので、以下、それぞれに分けて説明する。
【００３０】
修正依頼側装置の制御部１１は、原稿データの作成者側から原稿データが受信されると、これを記憶部１２に格納する。この原稿データは、いわゆるタグ情報付きのテキストである。具体的にタグ情報としては、フォントの指定（<cFont:xxxxx Mincho>などのタグ情報）や、文字の揃え方、ルビ、ドロップキャップ等を指定するテキストがある。
【００３１】
利用者が、この原稿データを修正する指示を入力すると、制御部１１は、利用者に原稿データを提示する。具体的には、テキストエディタを用いて原稿データを提示し、修正を受け入れることとしてもよい。利用者は、テキストエディタ等を用いてこのタグ情報付きのテキストを修正し、それが終了すると、修正後のタグ情報付きテキスト（修正後の原稿データ）を記憶部１２に格納する。
【００３２】
制御部１１は、修正前の原稿データと、修正後の原稿データとの間で差分部分の情報を生成する。具体的には、修正前の原稿データであるタグ情報付きテキストと、修正後の原稿データであるタグ情報付きテキストとを対象としてＵＮＩＸ（登録商標）におけるdiffコマンドと同様の処理により差分情報（いわゆるdiffファイル）を生成する。
【００３３】
ここまでの処理は第１の実施の形態におけるものと同様の処理であるが、本実施の形態では、制御部１１は、当該生成した差分情報を修正作業側装置に対して送信し、自己宛に対しては必ずしも送信しない。
【００３４】
また、本実施の形態の修正依頼側装置の制御部１１は、修正作業側装置において生成された第２差分情報（後に詳しく述べる）を、当該修正作業側装置から受信する。そして、制御部１１は、当該受信した第２差分情報を受信して、当該第２差分情報を修正前の原稿データに適用する。つまり、ＵＮＩＸ（登録商標）におけるpatchコマンドと同様の処理によって、第２差分情報としてのdiffファイルを原稿データに対して適用して原稿データに修正を行う。
【００３５】
そして修正依頼側装置の制御部１１は、第２差分情報を原稿データに適用して得られた修正後の原稿データを表示部１４に表示して、利用者に提示する。また制御部１１は、この第２差分情報を原稿データに適用して得られた修正後の原稿データをレイアウトソフトウエアに読み込ませて、レイアウト後の原稿を表示部１４に表示してもよい。
【００３６】
次に、修正作業側装置の制御部１１の動作について説明する。この修正作業側装置は、記憶部１２に原稿データ（修正依頼側装置における修正前原稿データと同じもの）を格納している。修正作業側装置の制御部１１は、修正依頼側装置から差分情報としてのdiffファイルを受信すると、ＵＮＩＸ（登録商標）におけるpatchコマンドと同様の処理を行う。
【００３７】
すなわち制御部１１は、当該受信したdiffファイルを、記憶部１２に格納されている原稿データに対して適用して原稿データに修正を行う。次に制御部１１は、記憶部１２に格納されている修正前の原稿データと、修正後の原稿データとの差分の情報（第２差分情報）を生成する。この場合も、修正前の原稿データであるタグ情報付きテキストと、修正後の原稿データであるタグ情報付きテキストとを対象としてＵＮＩＸ（登録商標）におけるdiffコマンドと同様の処理により第２差分情報（いわゆるdiffファイル）を生成することとすればよい。制御部１１は、生成した第２差分情報を修正依頼側装置（差分情報の送信元）へと送信する。
【００３８】
さらに制御部１１は、差分情報を原稿データに適用して得られた修正後の原稿データを表示部１４に表示して、利用者に提示する。また制御部１１は、この差分情報を原稿データに適用して得られた修正後の原稿データをレイアウトソフトウエアに読み込ませて、レイアウト後の原稿を表示部１４に表示してもよい。
【００３９】
つまり、本実施の形態のシステムでは、図２に示す様に予め修正依頼側装置と修正作業側装置との双方が原稿データ（修正前原稿データ）Ｄ１を格納して保持している。ここで修正依頼側装置の利用者が、原稿データの修正を行うと、修正依頼側装置が当該修正指示に基づいて原稿データＤ１を修正した修正原稿データＤ２を生成する（Ｓ１）。修正依頼側装置は、当該修正原稿データＤ２と、保持している原稿データＤ１との差分情報Ｆ１を生成し（Ｓ２）、当該差分情報Ｆ１を修正作業側装置に送信する（Ｓ３）。
【００４０】
修正作業側装置では、この差分情報Ｆ′１（送受信処理の内容によってはＦ１とは異なる可能性がある）を受信して、保持している原稿データＤ１に対して当該差分情報Ｆ′１を適用して修正原稿データ（以下、区別のため第２修正原稿データと呼ぶ）Ｄ３を生成する（Ｓ４）。ここで修正作業側装置は、保持している原稿データ（修正前の原稿データ）Ｄ１と、第２修正原稿データＤ３との差分情報（第２差分情報）Ｆ２を生成して（Ｓ５）、この第２差分情報Ｆ２を修正依頼側装置に送信する（Ｓ６）。なお、修正作業側装置では、この第２修正原稿データＤ３を利用者に対する表示処理に供する（Ｓ７）。
【００４１】
修正依頼側装置では、第２差分情報Ｆ′２（送受信処理の内容によってはＦ２とは異なる可能性がある）を受信して、修正前の原稿データＤ１に対してこの第２差分情報Ｆ′２を適用して修正原稿データ（以下、区別のため第３原稿修正データと呼ぶ）Ｄ４を生成する（Ｓ８）。そして修正依頼側装置では、この第３修正原稿データＤ４を利用者に対する表示処理に供する（Ｓ９）。
【００４２】
このように本実施の形態では、差分情報を相互に送受信することで、電子メールの送受信に利用するメールソフトウエアの種類や設定によって生じた余分な改行や文字化けなどの状況を、修正依頼側、つまり送信側において確認でき、修正指示を行う側と、修正指示を受けて修正の作業を行う側とで原稿データの修正結果を共通にして、電子メールシステム等、電子的にデータを授受するシステムを利用した修正作業を支援できる。
【図面の簡単な説明】
【００４３】
【図１】本発明の第１、第２の実施の形態に係るドキュメント処理システムの構成ブロック図である。
【図２】本発明の第２の実施の形態に係るドキュメント処理システムの処理例を表す流れ図である。
【符号の説明】
【００４４】
１  端末、１１  制御部、１２  記憶部、１３  操作部、１４  表示部、１５  通信部。
【図１】
2006004371.tif 000003
【図２】
2006004371.tif 000004